(57)【要約】  差動マイクロ放電検出器システム。当該システムは２つのマイクロ放電検出器（ＭＤＤ）を含む。ＭＤＤのうちの一方は、測定されるサンプル分析物を受け入れるように接続され、他方のＭＤＤは、干渉するガスを含むと共に、測定されるサンプル分析物を全く含まないか、又ははるかに低い濃度で含む基準サンプルを取り込むように接続される。２つのＭＤＤの出力は、２つのＭＤＤの測定値間の差又は比のいずれかを生成する回路に供給される。さらに、２つのＭＤＤの電極間の電流、インピーダンス又は電圧を測定及び処理して、差又は比のいずれかの信号を生成し、それにより、サンプルガス分析物についての付加情報を得ることができる。
2009513989.tif 000002
【特許請求の範囲】
【請求項１】
マイクロ放電検出システムであって、
第１の測定値信号を生成する第１のマイクロ放電検出器と、
第２の測定値信号を生成する第２のマイクロ放電検出器と、
前記第１の測定値信号及び前記第２の測定値信号を受信し、出力信号を生成するように接続される回路とを備え、該出力信号は、前記第１の測定値信号と前記第２の測定値信号との間の差、及び該第１の測定値信号と該第２の測定値信号との間の比のうちの一方である、マイクロ放電検出システム。
【請求項２】
前記第１の測定値信号及び前記第２の測定値信号はスペクトル放射測定値である、請求項１に記載のマイクロ放電検出器システム。
【請求項３】
前記第１の測定値信号及び前記第２の測定値信号は、前記マイクロ放電検出器の電極間のインピーダンス、電圧及び電流のうちのいずれか１つの形態の電気信号である、請求項１に記載のマイクロ放電検出器システム。
【請求項４】
前記第１のマイクロ放電検出器及び前記第２のマイクロ放電検出器はそれぞれ一対の電極を備え、該一対の電極間に電流が流れ、前記第１のマイクロ放電検出器は、スペクトル放射測定値信号と、前記電極間の電流、電圧及びインピーダンスのうちの少なくとも１つの測定値信号とを生成し、前記第２のマイクロ放電検出器は、スペクトル放射測定値信号と、前記電極間の電流、電圧及びインピーダンスのうちの少なくとも１つの測定値信号とを生成し、さらに、前記回路は、前記スペクトル放射測定値信号を受信するように接続される第１の回路と、前記電流、電圧及びインピーダンスのうちの少なくとも１つの測定値信号を受信するために接続される第２の回路とを含む、請求項１に記載のマイクロ放電検出器システム。
【請求項５】
前記回路は、前記第１の測定値信号と前記第２の測定値信号との間の比である出力信号を生成する、請求項１に記載のマイクロ放電検出器システム。
【請求項６】
ガスクロマトグラフシステムであって、
その中を通過するガスを吸着及び脱着する毛管を通じて、キャリアガスにサンプルガスのパルスを搬送させるガスクロマトグラフと、
前記サンプルガスパルスを含まないか、又は未分離の希釈された形で前記サンプルガスパルスを含む前記キャリアガスを通過させるバイパス経路と、
その中に電流が流れるように形成される間隙を画定する一対の電極を含む第１のマイクロ放電検出器であって、前記毛管の排出口に接続され、前記毛管の中を流れてきたガスを受け入れ、該ガスに前記間隙の中を通過させて該間隙の中を通過する該ガスが電磁放射を放射するようにし、該第１のマイクロ放電検出器は、該放射された電磁放射のスペクトルを検出して該スペクトルの第１の測定値信号を生成するための検出器システムをさらに含む、第１のマイクロ放電検出器と、
その中に電流が流れるように形成される間隙を画定する一対の電極を含む第２のマイクロ放電検出器であって、該第２のマイクロ放電検出器は、前記バイパス経路の排出口に接続され、前記バイパス経路の中を流れてきたガスを受け入れ、該ガスに前記間隙の中を通過させて該間隙の中を通過する該ガスが電磁放射を放射するようにし、該第２のマイクロ放電検出器は、該放射された電磁放射のスペクトルを検出して該スペクトルの第２の測定値信号を生成するための検出器システムをさらに含む、該第２のマイクロ放電検出器と、
前記第１の測定値信号及び前記第２の測定値信号を受信して差動スペクトル出力信号を生成するように結合される第１の差動回路と、
前記差動スペクトル出力信号を分析してそこから前記サンプルガスパルスの物理的特性を求めるように接続される測定システムとを備える、ガスクロマトグラフシステム。
【請求項７】
前記第１のマイクロ放電検出器及び前記第２のマイクロ放電検出器のそれぞれの前記電極の中の前記電流を受信すると共に差動電流出力信号を生成するように接続される第２の差動回路をさらに備え、
前記測定システムはさらに、前記差動電流出力信号を分析すると共に、そこから前記サンプルガスパルスの物理的特性を求めるために接続される、請求項６に記載のガスクロマトグラフシステム。
【請求項８】
前記毛管を通じて前記第１のマイクロ放電検出器に至るガスの時間遅延及び前記バイパス経路を通じて前記第２のマイクロ放電検出器に至るガスの時間遅延が等しくなるように、前記毛管に対して、前記バイパス経路の長さ及び断面積が選択される、請求項７に記載のガスクロマトグラフシステム。
【請求項９】
前記第１のマイクロ放電検出器及び前記第２のマイクロ放電検出器は、前記第１のマイクロ放電検出器の前記間隙の中を通過するガスの速度が前記第２のマイクロ放電検出器の前記間隙の中を通過するガスの速度に等しくなるように断面積を選択されたチャンバを有する、請求項７に記載のガスクロマトグラフシステム。
【請求項１０】
前記第１のマイクロ放電検出器及び前記第２のマイクロ放電検出器内の等しいガス温度を維持するための温度制御システムをさらに備える、請求項７に記載のガスクロマトグラフシステム。
【請求項１１】
前記第１のマイクロ放電検出器及び前記第２のマイクロ放電検出器は、前記間隙の中をガスが通過した後に、前記検出器からガスを放出するための排出口を有し、前記第１のマイクロ放電検出器の該排出口及び前記第２のマイクロ放電検出器の該排出口は互いに接続される、請求項７に記載のガスクロマトグラフシステム。
【請求項１２】
前記第１の差動回路は、前記第１の測定値信号と前記第２の測定値信号との間の比を表す信号を生成する、請求項７に記載のガスクロマトグラフ。
【請求項１３】
ガスクロマトグラフィを実行する方法であって、
キャリアガス内で搬送されるサンプルガスを、ガスクロマトグラフ毛管を通じて、第１のマイクロ放電検出器の中に送るステップと、
前記キャリアガスを、バイパス導管を通じて、第２のマイクロ放電検出器の中に送るステップと、
前記第１のマイクロ放電検出器で、背景雑音を含む放射スペクトル測定値を得るステップと、
前記第２のマイクロ放電検出器で前記背景雑音の第２の測定値を得るステップと、
前記第１の測定値及び前記第２の測定値の差動測定値信号を生成するステップと、
前記差動測定値信号を分析して前記サンプルガスの物理的特性を検出するステップとを含む、ガスクロマトグラフィを実行する方法。
【請求項１４】
前記マイクロ放電デバイスはそれぞれ、その間に間隙を画定する一対の電極を備え、該間隙を通じて電流が流されて、該間隙にわたって放電が形成され、前記方法は、
前記第１のマイクロ放電検出器の前記電極対間の電流、電圧及びインピーダンスのうちの１つの測定値を得るステップと、
前記第２のマイクロ放電検出器の前記電極対間の電流、電圧及びインピーダンスのうちの１つの測定値を得るステップと、
前記第１の電流測定値及び前記第２の電流測定値の差動測定値信号を生成するステップと、
前記差動電流測定値信号を分析して前記サンプルガスの物理的特性を検出するステップとをさらに含む、請求項１３に記載の方法。
【請求項１５】
前記ガスクロマトグラフを通じて前記第１のマイクロ放電検出器の前記間隙までガスが通過する時間遅延は、前記バイパス導管を通じて前記第２のマイクロ放電検出器の前記間隙まで該ガスが通過する時間遅延に等しい、請求項１３に記載の方法。
【請求項１６】
前記生成するステップは、前記第２の測定値信号と前記第１の測定値信号との間の比を得るステップを含む、請求項１３に記載の方法。
【請求項１７】
前記第２の送るステップは、前記バイパス導管を通じて前記サンプルガスを含まない前記キャリアガスを送るステップを含む、請求項１３に記載の方法。
【請求項１８】
前記第２の送るステップは、前記バイパス導管を通じて、未分離の希釈された形で前記サンプルガスを含む前記キャリアガスを送るステップを含む、請求項１３に記載の方法。
【発明の詳細な説明】
【技術分野】
【０００１】
本発明は、たとえば、独立型のセンサとして、又はガスクロマトグラフ内の検出器として用いることができるマイクロ放電検出器に関する。
【背景技術】
【０００２】
マイクロ放電検出器（ＭＤＤ）又はセンサは、その放電によって励起及び放射される光放射スペクトルに基づいて、気体サンプル内の分子の存在を検出するために用いることができる。
【０００３】
マイクロ放電検出器はチャンバを備えており、サンプル（たとえば、気体流体又は蒸気流体）が、近接して配置される２つの電極間に流れるようにチャンバ内に導入される。電極は典型的には、概ね２０〜２００μだけ離して配置され得る。電極間に電圧が生成されると、それらの電極間に放電が引き起こされる。マイクロ放電検出器の電圧は、典型的には、約２００〜６００ボルトであり得る。この電圧及び関連する電流は、直流（すなわち、ＤＣ）又は交流ＡＣであり得る。サンプル流体が、電極の間を通過し、放電に当たるとき、流体の元素成分が電磁波を放射するであろう。すべての元素が特徴的な放射スペクトル又は特性スペクトルを有する。１つ又は複数の光検出器がその放射スペクトルを検出する。典型的には、マイクロ放電検出器は、それぞれの光検出器が異なる狭帯域幅の放射を受け取るようにフィルタリングされる複数のフォトダイオードからなるアレイを有する。その放射スペクトルを分析して、サンプルを構成する１つ又は複数の成分を決定することができる。
【０００４】
マイクロ放電検出器が用いられる、１つの特定の科学的な測定機器がガスクロマトグラフ（ＧＣ）である。ガスクロマトグラフでは、サンプルガスのパルスが、別のガスからなるキャリア流の中に導入される。キャリア流は典型的には、ヘリウム、水素又は窒素を含む。しかしながら、特にＰＨＡＳＥＤ（たとえば、米国特許第６，３９３，８９４号を参照）のようなマイクロガスクロマトグラフでは、空気（環境内、又は患者の呼吸内）のような他のキャリアガスもキャリアガスとしての役割を果たすことができる。
【０００５】
気体の分子を吸着及び脱着するポリマーを含む蛇行した毛管経路を通して、ポンプによってキャリアガスが出し入れされる。そのポリマーは、たとえば、毛管経路の内壁上のコーティングとすることができる。その組成を決定すべきサンプルガスは、毛管経路の注入口において、キャリアガスの中にパルスとして導入される。ポリマーコーティングがガス混合物（キャリアガスの分子及びサンプルパルスガスの分子を含む）内の分子を吸着及び脱着する。混合物内の分子が重いほど、吸着及び脱着が遅くなる。したがって、重い分子ほど、注入口から排出口まで毛管内を通過するのに長い時間がかかる。毛管の排出口はマイクロ放電検出器に接続される。それゆえ、マイクロ放電検出器は、ピークが電極間を通過するときの電磁放射スペクトルだけでなく、ピークが電極間を通過する時刻も検出する。したがって、マイクロ放電検出器からの出力情報は、サンプルガス内に存在する原子及び／又は分子を求めるために用いることができる２次元のデータ、すなわち１）ピーク毎の毛管を通過する時間遅延、及び２）各ピークの放射スペクトルを提供する。
【０００６】
ポリマーはキャリアガスも吸着及び脱着するので、マイクロ放電検出器によって、キャリアの特性放射スペクトルも検出される。この背景信号、すなわちキャリアガスの電磁放射線／帯域及び／又は電気プラズマ特性は、サンプルガスによって検出及び搬送される分析物の測定を妨害する性質がある。これは特に、キャリアガス又はサンプルガスが空気である場合に問題になる。なぜなら、空気は、Ｎ２、Ｏ２、Ｈ２Ｏ、Ａｒ、ＣＯ２、ＮＯｘ及びさらなる微量のガスを含む混合物であり、その全てが放射スペクトルを有するためである。これらの全ての分子の放射帯域が、対象となる分析物のサンプルガスマイクロ放電放射特性及び「識別特性（signatures）」を隠すおそれがある。また、それらの分子は、圧力、時間及び温度に応じて変化することがあり、正確な測定値を得る能力をさらに低下させる。
【０００７】
従来、活性放射帯域間のスペクトル放射がない部分が、分光器の参照基線（reference baseline）として用いられる。その１つの改善として、Ocen Opticsによって市販されるような市販の分光器は、サンプルガス又はピークガスの放射スペクトルから、キャリアガススペクトルを減算して、対象となる帯域をさらに良好に視覚化及び測定するための手段を提供する。しかしながら、そのような分光器は、２つのスペクトルを時間的に順次に記録してから、一方から他方を減算する。
【特許文献１】米国特許第６，３９３，８９４号明細書
【発明の開示】
【発明が解決しようとする課題】
【０００８】
したがって、本発明の目的は、改善されたマイクロ放電検出器システムを提供することである。
本発明の別の目的は、改善されたガスクロマトグラフを提供することである。
【課題を解決するための手段】
【０００９】
本発明は差動マイクロ放電検出器システムである。当該システムは、２つのマイクロ放電検出器（ＭＤＤ）を備えており、その出力の測定値信号が合成されて、雑音成分が低減又は除去された差動測定値信号が生成される。たとえば、ガスクロマトグラフとの関連で用いられる場合には、ＭＤＤの一方は、ガスクロマトグラフの中を通過して、個々の成分に分離された後に測定されるガスサンプル（キャリアガスを含む）を受け入れるように接続される。測定されるサンプルは、分離された分析物を表す一連のピークであり、それらの分析物は、ポリマーコーティングされた毛管の排出口から溶離される。溶離しているピークはそれぞれ、放電空間に入るときに、その分子成分の特性を示す光スペクトル放射を放射し、キャリアガスもスペクトルを放射する。他方のＭＤＤは、基準ガスサンプルを取り込むように接続される。基準サンプルは、サンプルパルスを含まないキャリアガスとすることができる。しかしながら、予め濃縮も分離もされていない状態で、分析されるサンプルガスを含むキャリアガスとすることもできる。基準サンプルは、測定されるスペクトル放射と干渉することがあるか、又はそのスペクトル放射を隠すことがある放射スペクトルを有する。
【００１０】
２つのＭＤＤの出力は、差動回路に供給され、その差動回路は、２つのＭＤＤからの信号間の差又は比を出力し、それにより、サンプルガスパルスの測定値からキャリアガスの干渉信号を抑圧するか、又は概ね除去する。
【００１１】
さらに、本発明の好ましい実施の形態では、２つのＭＤＤの電極間の電流、インピーダンス又は電圧が、別の差動回路に入力され、そこから得られる差動信号が、サンプルガスに関するさらに多くの情報を提供する第３の次元の測定値として取り込まれる。
【００１２】
ガスの温度、時間と共に変化する組成及び圧力、並びに電極間の速度が全て、そのガスの放射スペクトルに関係する。したがって、本発明の好ましい実施の形態では、ＭＤＤチャンバは互いに、そのチャンバ内のガスの圧力、時間、温度及び速度が互いに等しいことを保証するように設計される。
【００１３】
本発明の好ましい実施の形態では、時間の問題は、基準ＭＤＤへのガスの経路内の遅延がガスクロマトグラフの毛管内の遅延と等しくなるように、その経路を選択することによって解決される。これは、キャリアガスの組成が時間にわたって均一でないことがあるので望ましく、それゆえ、可能な限り正確な結果を保証するために、２つのＭＤＤの電極間を通過するキャリアガスの部分が、元のキャリアガス源から時間的に可能な限り近いことを保証することが好都合である。
【発明を実施するための最良の形態】
【００１４】
図１は、本発明の特定の一実施形態による、マイクロ放電検出システムを利用するガスクロマトグラフシステム１００の概略図である。キャリアガス供給源１１２が、入力導管１１３を通して、空気、水素又はヘリウムのようなキャリアガスをシステムに供給する。ポンプ１１４が、システムを通じてキャリアガスを汲み出す。そのポンプはシステムの出口に示されており、システムを通じてガスを吸い込む。一方で、システムの入口にあり、キャリアガスをシステムを通じて押し出すことも同じように容易に実現することができる。１１６において、ガスクロマトグラフのポリマーコーティングされた毛管が示される。サンプルガス供給源１１７が、導管１１８を介して接続されており、開口弁１１５を用いて、毛管１１６への注入口又はその近くにおいて、入力導管１１３内のキャリア流の中に、数ミリ秒間、サンプルガスのミリ秒幅のパルスが導入される。そのようなサンプルガスパルスを与えるために、たとえば、米国特許第６，３９３，８９４号に記載されるような予備濃縮器注入パルスを用いること等の、他の手段を用いることもできる。毛管１１６の排出口は、別の導管１２４を介して、第１のマイクロ放電検出器１２８の注入口に接続される。マイクロ放電検出器の排出口は、別の導管１３２によって、ポンプ１１４に接続される。
【００１５】
サンプルガス入力導管１１８の直前に、入力導管１１３にバイパス導管１３４が接続される。バイパス導管は、毛管内のポリマーでコーティングされない。バイパス導管１３４は、第２のマイクロ放電検出器１３０の注入口に接続される排出口を有する。第２のマイクロ放電検出器１３０の排出口は、出力導管１３２に接続される。
【００１６】
各ＭＤＤ１２８、１３０は、対象となる２つの測定値信号を提供する。第１の信号は、電極の中を通過するガスの放射スペクトルを求めることができる光検出器の出力である。第２の信号は、電極の中の電流である。既に言及されたように、第１の測定値信号は、２つの異なる形の情報、すなわち、１）スペクトル情報自体と、２）スペクトルピークのタイミングとを含む。
【００１７】
キャリアガスが第１のＭＤＤ１２８によって出力される測定値信号に及ぼす影響は、サンプルガスの分析物の所望の測定値と干渉する性質があるため、キャリアガスによって引き起こされる測定データを第１のＭＤＤ１２８の出力信号から減算するか、又は、そのような基準ガス識別特性の比率を下げる（ratio out）ことが望ましいであろう。第１のＭＤＤ１２８の中を流れるガスは、サンプルパルス及びキャリアガスを含むのに対して、第２のＭＤＤ１３０の中を流れるガスは、分析物ガスを含まないか、又は分離されないまま濃縮された分析物ガスを希釈したものだけを含むキャリアガスを含むことが明確であるべきである。
【００１８】
こうして、第１のＭＤＤ１２８の光検出器の出力信号及び第２のＭＤＤ１３０の光検出器の出力信号が差動回路１４２に入力され、差動回路は、その出力において、第１のＭＤＤ１２８の出力信号と第２のＭＤＤ１３０の出力信号との間の差又は比を生成する。各ＭＤＤの光検出器の出力は、各ＭＤＤの図において１本の線として示されるが、実際には、数百（すなわち異なる狭帯域幅を検出する各光検出器から１つずつ）の別個の出力を含むことがあることは当業者には理解されよう。差動回路の出力信号は基本的には、サンプルガスの放射スペクトルを含んでおり、差動回路がキャリアガスの放射スペクトルを概ね相殺するので、キャリアガスのスペクトルは除去又は抑圧されている。
【００１９】
図中の差動回路１４２及び１４４は、本発明の原理に従って実行される機能を例示することを目的としており、限定するものではない。本明細書及び特許請求の範囲において、用語「差動回路」は、２つの入力信号間の差又は比を生成することができる任意の回路を指している。２つの測定値信号の差又は比を生成する機能は、差動演算増幅器、デジタルプロセッサ、適切にプログラムされた汎用コンピュータ、状態機械、適切なアナログ回路、ＡＳＩＣ等を含む、任意の適切なアナログ回路又はデジタル回路によって実行することができることは理解されたい。また、本明細書において、用語「差動化する」、「差動の」、及び他の全ての変化形は、２つの信号間の差又は２つの信号の比を広く意味するように用いられる。これは、キャリアガスから雑音を取り除き、２つのガスの環境条件（たとえば、圧力、温度、速度）の差に起因する雑音を取り除き、２つのＭＤＤの回路内の差を取り除き、且つ／又は測定値信号内の他の誤差発生源を取り除く、２つの信号のさらに複雑な多項式関数又は数学関数を開発することができる可能性を除外するものではない。
【００２０】
差動回路１４２からの出力信号は、サンプルガスパルスの組成を分析するために、測定システム１５０に与えられる。その測定システムは、スペクトルを分析してガスの組成を求めるように適切にプログラムされるコンピュータ又はマイクロプロセッサとすることができる。
【００２１】
各ＭＤＤの電極間の間隙のインピーダンスは、２つの電極間のガスの組成によって影響を及ぼされる。したがって、電極間の電流及び電圧は、ＭＤＤの電極間を通過するガスの組成によって影響を及ぼされることになる。それゆえ、本発明の好ましい実施形態では、第１のＭＤＤ及び第２のＭＤＤの電極間の電流、電圧及び／又はインピーダンスも第２の差動回路２３０に入力され、第２の差動回路２３０は、２つの差又は比である出力信号を生成する。２つのＭＤＤ間の差動信号は、測定システム１５０によって取り込まれ、分析されて、サンプルガスに関するさらなる有用な情報が与えられる。サンプルが電極間を通過するときに電極間を通過する電流を測定することによって、サンプルガスの識別情報（溶離時間による）及び組成（光出力に関連する電流振幅による）についての付加情報を与えることができる。
【００２２】
たとえば、図２は、従来の火炎イオン化検出器（Flame Ionization Detector、FID）において検出されるインピーダンスの変化に対する、従来の非差動ＭＤＤの場合の、ヘリウムキャリアガスに含まれる空気、プロパン及びブタンのピークが溶離するときのインピーダンス変化の比較を示す。ＭＤＤの電極間の電圧又は電流のいずれかをプロットすることによって、インピーダンスをプロットするのと概ね同じ情報が与えられるであろう。ＭＤＤからの電流、電圧又はインピーダンスの測定値は、ＦＩＤ機器と概ね同じ情報を与える。ＭＤＤ電流／電圧／インピーダンスは空気に反応するのに対して、ＦＩＤ機器によって空気は検出することはできないので、実際には、それははるかに有用な情報を与える。この情報は、スペクトル放射データに加えて、光検出システムから得られる。空気、プロパン及びブタン溶離時間におけるスペクトル放射データは、注入されるガス混合物パルス内のＮ２、Ｏ２、ＣＨ及びＣ２分子によって引き起こされるスペクトル放射を同時に含むことに留意されたい。
【００２３】
図３は、図１のＭＤＤ１２８、１３０及び後続の回路の構造をさらに詳細に示す概略図である。図３に示されるように、高電圧源２１２が、第１のマイクロ放電検出器１２８及び第２のマイクロ放電検出器１３０のそれぞれの電極２１４ａ、２１４ｂ及び２１６ａ、２１６ｂの間に電圧を供給する。電極中の電流は、可変抵抗器２４４及び２４６によってタッピングされ、差動回路１４４の入力端子に入力される。差動回路１４４の出力信号は、測定システム１５０に入力される。同様に、マイクロ放電検出器１２８、１３０のそれぞれの光検出器アレイ２５２及び２５４の出力は、たとえば、光ファイバを介して、他方の差動回路１４２の入力端子に入力される。この差動出力は、測定システム１５０に供給される。
【００２４】
ガスクロマトグラフの出力とバイパス経路の出力（電流及び／又は光）との間の差動信号を用いて、キャリアガスによって引き起こされる雑音／干渉信号が除去されるか、又は最小限に抑えられる。
【００２５】
ガスの温度及び圧力、並びにＭＤＤの電極を通過する速度は全て、ガスの放射スペクトルに影響を及ぼすので、２つのＭＤＤのチャンバ内の圧力、温度及び速度が同じであることを保証することが望ましい。また、キャリアガス流の異なる点におけるキャリアガスの組成の任意の変動によって引き起こされる任意の誤差を最小限に抑えるか、又は除去するために、それぞれ第１のＭＤＤ及び第２のＭＤＤまでの２つの代替経路の中のガスの時間遅延が同じであることを保証することが望ましい。
【００２６】
したがって、バイパス導管の直径及び長さは、バイパス導管１３４の中の遅延がガスクロマトグラフ１１６の中の遅延に等しいことを保証するように選択されるべきである。適切な長さ及び直径は、以下に示されるように計算することができる。
【００２７】
Ｌ１＝ガスクロマトグラフ毛管を通じてＭＤＤ１２８に至る経路の長さ
Ｌ２＝バイパス導管を通じてＭＤＤ１３０に至る代替経路の長さ
ｒ１＝ガスクロマトグラフ毛管の半径
ｒ２＝バイパス導管の半径
ｔ１＝ガスクロマトグラフ経路の中のガスの時間遅延
ｔ２＝バイパス経路の中のガスの時間遅延
Ｖ１＝第１のＭＤＤ１２８のチャンバの容積
Ｖ２＝第２のＭＤＤ１３０のチャンバの容積
Ｖ＊１＝第１のＭＤＤ１２８の中のガスの流量
Ｖ＊２＝第２のＭＤＤ１３０の中のガスの流量
ｖ１＝第１のＭＤＤ１２８の中のガスの速度
ｖ２＝第２のＭＤＤ１３０の中のガスの速度
ｓ１＝第１のＭＤＤ１２８のチャンバの断面積
ｓ２＝第２のＭＤＤ１３０のチャンバの断面積
以上のことを仮定すると、
【００２８】
【数１】
2009513989.tif 000003
【００２９】
且つ
【００３０】
【数２】
2009513989.tif 000004
【００３１】
である。
ｔ１＝ｔ２すなわちｔ１／ｔ２＝１にしたいので、
【００３２】
【数３】
2009513989.tif 000005
【００３３】
又は
【００３４】
【数４】
2009513989.tif 000006
【００３５】
である。
それに応じて、毛管の長さＬ１及び半径ｒ１に対して、バイパス導管の長さＬ２及び半径ｒ２を選択することは簡単なことである。
【００３６】
また、各ＭＤＤチャンバの中のガス流速を等しく設定したい。それゆえ、以下の比を設定する。
【００３７】
【数５】
2009513989.tif 000007
【００３８】
この条件は以下の式が成り立つ場合に満たされる。
【００３９】
【数６】
2009513989.tif 000008
【００４０】
したがって、一例にすぎないが、Ｌ１／Ｌ２＝５且つｒ１／ｒ２＝５（ｔ１＝ｔ２に設定するため）であるようにバイパス導管寸法を選択した場合には、２つのＭＤＤのチャンバの断面積は、同じ比に、すなわちｓ１／ｓ２＝５に設定されなければならない。
【００４１】
さらに、図１に示されるように、１４２において２つの導管を接続することによって、２つの経路の入力と出力との間の圧力差を概ね等しく設定することができる。
ＭＤＤ内のセンサのようなスペクトル放射センサは一般的に、放射のない状態を基準にするものと仮定されるので、本発明は直観に反している。
【００４２】
図４Ａ及び図４Ｂは本発明の利点のいくつかを示す。図４Ａは、２つの重ね合わせられたＭＤＤスペクトルの一例を示し（Caviton社による）、一方は空気のスペクトル識別特性（破線３０１）であり、他方は空気中のトリクロロエタン分析物のスペクトル特性（実線３０２）である。図示されるように、対象となる（トリクロロエタンの）正味の識別特性は、空気ＭＤＤ放射スペクトルによって不明瞭にされる。しかしながら、図４Ｂでは、２つの識別特性間の差（線３０４）又は比（線３０６）のいずれかを形成することによって、両方に共通である基準信号が大きく抑圧されるか、又は除去されることが見て取れる。２つの手法のうち、実際には、比信号３０６の方が鮮明であることが図４Ａ及び図４Ｂから見て取れる。詳細には、比プロット３０６内のＮ２帯（基準空気による）が、差プロット３０４内のＮ２帯よりも、Ｏ２及びＣｌのような特定の分析物の影響によって、影響を受けにくいように見える。
【００４３】
比信号の基線は、「０」ではなく、「１」にある（差信号の場合には、０である）。用途によっては、直線的な比の代わりに、対数の比が、さらに役に立つことがある。
正確な測定をさらに確実にするために、２つのＭＤＤの温度は、可能な限り等しくすべきである。これは、適切に大きな熱伝導係数のＭＤＤ支持基板を設けることによって果たすことができる。ＭＤＤ内の任意の浮遊容量を等しくするためのステップも行われるべきである。これは、２つのＭＤＤ内の浮遊容量が概ね等しくなるのを保証するために、ＭＤＤの回路レイアウト（図示せず）を注意深く観察し、そのレイアウトを対称にすることによって果たすことができる。
【００４４】
回路が対称である場合であっても、２つのＭＤＤが非対称な出力を有することがある。一例にすぎないが、２つのＭＤＤは異なるガスに曝露されるので、それらのＭＤＤは時間と共に異なる経時変化を生じることがあり、結果として、差動信号に雑音が生じる（すなわち、同じガスに曝露される場合であっても、２つのＭＤＤのスペクトル出力が同じでなくなる）ことがある。２つの信号の比を用いることは、差を用いる場合よりも、このタイプの雑音へのより良好な耐性を与えるように思われる。しかしながら、このタイプの雑音に対してより良好な耐性を与える、本発明のさらなる変形では、２つのＭＤＤの回路内の差を補正するように、プロセッサ１５０又は他の回路を適合させることができる。たとえば、研究室で使用する前の製品の最終試験中に（又は、その耐用年数中でも周期的に）、好ましくは同じ圧力、温度、速度及び時間において、同じサンプルガスに２つのＭＤＤの中を通過させ、その出力をデジタル形式で記録することができる。その後、２つの出力間のあらゆる差を計算及び記憶して、後に、機器の使用中に、差動測定値信号に適用する（例えば、差動測定値信号から減算する）ことができる。さらなる方策として、２つのＭＤＤを同じ条件下で動作させることによって、経時変化の差を最小限に抑えるように努めることができる。
【００４５】
代替的な実施形態では、２つのＭＤＤではなく、ただ１つのＭＤＤを用いることが可能である。詳細には、図１のＭＤＤ１２８のような、ただ１つのＭＤＤを、ガスクロマトグラフの出力に接続することができる。その測定システムは、その中に、サンプルパルスが溶離されていない時間中に得られるような、キャリアガス（又はキャリアガスと、未分離で、予め濃縮もされていないサンプルガス）の特性スペクトル放射を記憶しておくことができる。その後、測定システムは、２つの測定値の差及び／又は比を数学的に計算することができる。しかしながら、この手法は、そのようにして生成された背景放射が誤って１つ又は複数の分析物ピークを含むことがあるため、対象となる分析物の放射が見落とされる可能性を増大するため、望ましいとは言い切れない。また、それは、経時的に圧力、温度及び流量が変化すること、又は経時的にキャリアガスの組成が変化することを考慮に入れることができない。
【００４６】
差動ＭＤＤを用いることは、溶離しているガスクロマトグラフピークの場合にそうであるように、記録時間が短いときに特に好都合である。記録時間は従来、１〜１０秒かかることがあるが、上記のＰＨＡＳＥＤのようなマイクロガスクロマトグラフの場合、わずか１０〜１００ミリ秒である。
【００４７】
本発明の利点は、その複雑な構成に起因して、以前には空気を使用できないことがあったいくつかの実験において、差動出力にすることによって、キャリアガスとしてヘリウム又は水素ではなく空気を使用することを可能にすることができるという事実を含む。さらに、差動測定値信号は、キャリアガスそのものによって引き起こされる干渉信号を除去するか、又は最小限に抑えるだけでなく、経時変化によってＭＤＤの出力が変化するときに引き起こされる誤差、又はサンプル又はキャリアガスの温度、絶対圧力、流量、組成及び／若しくは駆動電圧の変化によって基線が変更されるときに引き起こされる誤差も補償する。本発明の差動の概念によれば、イオン化及び光ＭＤＤ出力の改善に繋がることもある。
【００４８】
このように本発明のいくつかの特定の実施形態が説明されてきたが、種々の改変、変更及び改善が、当業者には容易に思い浮かぶであろう。本開示によって明らかになるような、そのような改変、変更及び改善は、本明細書において明らかには述べられないが、本明細書の一部であることを意図しており、本発明の精神及び範囲内にあることを意図している。したがって、これまでの説明は例示にすぎず、限定するものではない。本発明は、添付の特許請求の範囲及びその均等物に規定されるようにのみ限定される。
【図面の簡単な説明】
【００４９】
【図１】本発明の一実施形態を組み込むガスクロマトグラフの概略図である。
【図２】従来の火炎イオン化検出器（ＦＩＤ）において検出されるインピーダンスの変化に対する、空気、プロパン及びブタンが溶離するときの従来の非差動マイクロ放電（イオン化）検出器（ＭＤＩＤ）からのインピーダンスの変化を示すグラフである。
【図３】図１のマイクロ放電検出器及び後続の回路のさらに詳細な概略図である。
【図４Ａ】それぞれ空気、及び空気中のトリクロロエタン分析物の、２つのマイクロ放電検出スペクトルを重ね合わせた図である。
【図４Ｂ】空気、及び空気中のトリクロロエタン分析物の、マイクロ放電検出スペクトル間の差及び比を示す図である。
【図１】
2009513989.tif 000009
【図２】
2009513989.tif 000010
【図３】
2009513989.tif 000011
【図４Ａ】
2009513989.tif 000012
【図４Ｂ】
2009513989.tif 000013
【国際調査報告】
2009513989.tif 000014
2009513989.tif 000015
2009513989.tif 000016